(57)【要約】  円形ソーブレード用のブレードガード（１２０）。ブレードガードは、共に連結された少なくとも２つの部品（２４２）を含む。ブレードガードは同様に、円形ソーブレードを収容するため内部に形成されたスロットを有する少なくとも１つの底板（２３０）と、少なくとも１つの上面カバー（２２０）とを含む。さらにブレードガード（２２０）は、上面カバー（２２０）と底板（２３０）を連結することを目的とし、さらに、少なくとも２つの部品（２４２）を、少なくとも１つの底板（２３０）と少なくとも１つの上面カバー（２２０）に対してしっかり固定するように構成されている、複数の締結用ロッド（２５０）とを含んでいる。
2013536763.tif 000002
【特許請求の範囲】
【請求項１】
円形ソーブレード用のブレードガード（１２０）において、
共に連結された少なくとも２つの部品（２４２）と、
円形ソーブレードを収容するため内部に形成されたスロットを有する少なくとも１つの底板（２３０）と、
少なくとも１つの上面カバー（２２０）と、
上面カバー（２２０）と底板（２３０）を連結することを目的とし、さらに、少なくとも２つの部品（２４２）を、少なくとも１つの底板（２３０）と少なくとも１つの上面カバー（２２０）に対してしっかり固定するように構成されている、複数の締結用ロッド（２５０）と、
を備えることを特徴とするブレードガード（１２０）。
【請求項２】
少なくとも２つの部品（２４２）が、円形ソーブレードの中心線（２６０）を横断して、対応する実質的に対称な部品（２４２）であることを特徴とする請求項１に記載のブレードガード（１２０）。
【請求項３】
各部品（２４２）がＣ字形遠位端部（２４１）を形成していて、各々が締結用ロッド（２５０）を収容するように構成されていることを特徴とする請求項１または２に記載のブレードガード（１２０）。
【請求項４】
少なくとも２つの部品（２４２）が円形ソーブレードの一部分をカバーしていることを特徴とする請求項１〜３のいずれか一項に記載のブレードガード（１２０）。
【請求項５】
少なくとも２つの部品（２４２）が円形ソーブレードの片面をカバーしていることを特徴とする請求項４に記載のブレードガード（１２０）。
【請求項６】
少なくとも２つの部品（２４２）が円形ソーブレードの両面をカバーしていることを特徴とする請求項４に記載のブレードガード（１２０）。
【請求項７】
少なくとも２つの実質的に対称な部品（２４２）が、連結された時点で１つの開口部を形成し、この開口部は円形ソーブレードの通路を提供し、開口部を超えて延在する円形ソーブレードの部分を露出させることを特徴とする請求項１〜３のいずれか一項に記載のブレードガード（１２０）。
【請求項８】
少なくとも２つの部品（２４２）に着脱可能な形で連結される少なくとも１つのブレードカバーをさらに含み、少なくとも１つのブレードカバーが少なくとも２つの部品（２４２）に連結されている場合には、少なくとも１つのブレードカバーが開口部を覆うと同時に円形ソーブレードの露出された部分も覆うことを特徴とする請求項７に記載のブレードガード（１２０）。
【請求項９】
４つの部品（２４２、２４４）を含み、部品のうち２つ（２４２）は同じものであるが、他の２つの部品（２４４）とは異なっていることを特徴とする請求項１〜８のいずれか一項に記載のブレードガード（１２０）。
【請求項１０】
６つの部品（２４２、２４４、２４６）を含み、ここで３つの部品対（２４２、２４４、２４６）が存在し、第１の部品対（２４２）が同じものであり、第２の部品対（２４４）が同じものであり、第３の部品対（２４６）が同じものであるが、第１の対（２４２）、第２の対（２４４）および第３の対（２４６）は比較した場合に互いに異なっていることを特徴とする請求項１〜９のいずれか一項に記載のブレードガード（１２０）。
【請求項１１】
上面カバー（２２０）が２つ以上の構成要素（２２２、２２４）を含むことを特徴とする請求項１〜１０のいずれか一項に記載のブレードガード（１２０）。
【請求項１２】
上面カバー（２２０）が３つ以上の構成要素（２２２、２２４）を含むことを特徴とする請求項１１に記載のブレードガード（１２０）。
【請求項１３】
上面カバー（２２０）の２つ以上の構成要素（２２２、２２４）を連結するための解除可能な上面カバー締結具（２２５）をさらに含むことを特徴とする請求項１２に記載のブレードガード（１２０）。
【請求項１４】
解除可能な上面カバー締結具（２２５）がブレードガード（１２０）の部分的分解を可能にし、こうして上面カバー（１２０）の２つ以上の構成要素（２２２、２２４）の１つおよび随伴する底板（２３０）、形材要素部品（２４２）および締結用ロッド（２５０）の取外しが可能となることを特徴とする請求項１３に記載のブレードガード（１２０）。
【請求項１５】
上面カバー（２２０）が、その上にハンドルグリップを形成するための陥凹部分（２２３）を含むことを特徴とする請求項１〜１４のいずれか一項に記載のブレードガード（１２０）。
【請求項１６】
上面カバー（２２０）の少なくとも一部分が、少なくとも２つの部品（２４２）と一体になっていることを特徴とする請求項１〜１５のいずれか一項に記載のブレードガード（１２０）。
【請求項１７】
請求項１〜１６のいずれか一項に記載のブレードガードを含むウォールソー。
【発明の詳細な説明】
【技術分野】
【０００１】
本開示は、円形ソーブレード用のブレードガードに関する。
【背景技術】
【０００２】
可動式加工装置は、典型的に大型でかつ操作のむずかしい装置部品である。可動式加工装置の一例としては、ウォールソーがある。ウォールソーは典型的にディスク形ブレードを含み、このブレードは切断対象の壁の上にしっかり固定可能でかつ石などを切断するように設計されている。例えば、ウォールソーは、建設業界において、適切な壁部分を分離することによって複数のオフセット段階で壁の中に開口部を切り抜くために使用可能である。切断対象の壁は、部屋の壁、天井または床であり得る。一部の実施形態において、ウォールソーは、切断対象の壁を横断してウォールソーを駆動する輸送機構に内蔵されて、輸送機構とウォールソー機構が有効に単一のユニットの形に一体化されるようになっている可能性がある。一部の実施形態において、ウォールソーは輸送機構と分離した機構であり得る。例えば、ウォールソーは、切断対象の壁を通って切断するようにウォールソーの制御された運動を提供するため、トラックに連結され得る。
【０００３】
本明細書で紹介されている有利な解決法にしたがって実施され構成される例示的な方法および配置は、添付図面の中に描かれている。
【図面の簡単な説明】
【０００４】
【図１】本開示の取付け用ブラケットを有するウォールソーを例示する図である。
【図２】複数の締結用ロッドが示されている例示的ブレードガードの斜視図である。
【図３】底板、締結用ロッドおよび２つの実質的に対称な部品を示す図４のブレードガードの一部分の横断面図である。
【図４】本開示に係る例示的ブレードガードの立面図である。
【図５】図４のＤ−Ｄ断面図である。
【図６】例示的部品の第１の断面形状である。
【図７】別の例示的部品の第２の断面形状である。
【図８】さらに別の例示的部品の第３の断面形状である。
【図９】図４のブレードガードの立面端面図である。
【図１０】図９のＥ−Ｅ断面図である。
【図１１】図４のブレードガードの一部分の立面図である。
【図１２】本開示に係る別の例示的ブレードガードである。
【発明を実施するための形態】
【０００５】
例示を簡潔、明瞭にするためとして認識されるように、該当する場合、対応するまたは類似の要素を示すため、異なる図中において、参照番号が反復して用いられている。さらに、本明細書で説明される実施形態を完全に理解できるようにするために、多くの具体的詳細が記されている。しかしながら、当業者であれば、本明細書中に記載されている実施形態がこれらの具体的詳細無しでも実施可能であることを理解するものである。他の場合においては、記載されている関連する特徴を不明瞭にしないために、方法、手順および構成要素が詳述されていない。また、記述は、本明細書中に記載の実施形態の範囲を限定するものとしてみなされるべきものではない。
【０００６】
本開示は、ブレードガードに向けられている。ブレードガードは本明細書において、ウォールソーに関連して説明されているが、回転式円形カッティングブレードを有する他のソーにこれを向けることも可能である。ブレードガードは、作業者と回転する円形ソーブレードの間の障壁を提供する。ブレードガードは、特定の環境の内部における破片の衝撃を制限することができる。少なくとも１つの環境において、ブレードガードは、切断面に水または他の液体が供給される湿式ソーで実施される。ブレードガードは、カッティングブレードから切断液が吐出される方向を制限する。
【０００７】
上述の通り、ブレードガードは、ウォールソーで使用するように構成可能である。本明細書中で記述されているブレードガードを含むウォールソーの一例は、図１に示されている。ウォールソー１００は、本明細書中で図示され記述されている構成要素のうち１つ以上を含むことができる。ウォールソー１００は、ソーユニット１１０を含む。ソーユニット１１０は、駆動モーターと他の駆動系構成要素、例えばギア、ソーヘッド連結機構などを含む。図示されている通り、ソーユニット１１０上にハンドルが具備されている。ハンドルにより、作業者はトラック１１２上にソーを設置した場合にソーユニット１１０を操作することができる。さらに、作業者は、図示されている通りにウォールソーとは別個である場合にソーユニット１１０を輸送するためにこのハンドルを使用することができる。
【０００８】
ソーユニット１１０が上に据付けられるトラック１１２は同様に、その後部に取付けられたトラック据付け用ブラケット１３０を有する。トラック据付け用ブラケット１３０は、作業者が壁に対してウォールソー１００を位置づけし壁にトラック据付け用ブラケット１３０を締結することを可能にする。壁にトラック据付け用ブラケット１３０をしっかり固定することで、今度は、ウォールソー１００がトラック据付け用ブラケット１３０の連結を介してトラック１１２にしっかりと固定され、ソーユニット１１０はこのトラック自体に連結される。トラック据付け用ブラケット１３０が壁にしっかりと固定されることで今度は、トラック１１２を伴うウォールソー１００が壁にしっかりと固定される。特殊なカートには車輪の付いたフレーム１７０が備わり、このフレームに対しトラックを伴うウォールソーが１つのユニットとしてしっかりと固定され、こうしてそれは容易に輸送可能であり、壁または床に対し位置づけされ得、かつ少なくとも１つのトラック据付け用ブラケットをしっかりと固定することで壁または床に締結され、その後車輪付きフレーム１７０から解除され得る。トラック１１２は、実際、カートの重要な実質的に垂直な部分を形成しており、したがって、カートは別個の垂直構造を必要とせず、このため重量が節減され、壁または床に対してウォールソーをしっかりと固定することが容易になる。こうして、それはソー用の高機能なハンドリングシステムを形成する。
【０００９】
ウォールソー１００は同様に、ブレードガード１２０も含んでいる。ブレードガード１２０は、カッティングブレードのサイズに応じて交換可能である。例えば、所与のウォールソー１００は、４種または５種の異なるブレード直径での使用向けに構成され得る。少なくとも１つの実施形態において、ブレードガード１２０のサイズは、特定のブレード直径の選択に応じて決定される。ブレードガードはソーユニット１１０に、解除可能な形で取付けられて、ソーブレードの一部分がブレードガード１２０内部に隠れるようにすることができる。
【００１０】
ソーユニット１１０を作動させるために、ウォールソー１００はパワーパック１５０と遠隔制御ユニット１６０を含むことができる。パワーパック１５０は、電動または油圧式ソーユニット１１０を収容するために特定的に設計され得る。例えばパワーパック１５０は、油圧パワーパックであり得、これにより電力はパワーパックによって油圧出力に変えられる。遠隔制御ユニット１６０は、ウォールソー１００から一定の離隔距離のところで作業者により作動させられるように構成され得る。ウォールソー１００を作動させる環境に応じて、この距離が必要となる場合がある。さらに、図示された実施形態には、ウォールソー１００を輸送するためのソーフレーム１７０を含む。図示されているように、ソーフレームは、ホイールおよびパワーパック１５０を内部に据付けるフレームを含んでいる。遠隔制御ユニット１６０もその上に据付けることができる。フレームトラック連結機構を介して、トラック１１２をフレームに取付けることができる。トラックハンドル１４０は、トラック１１２に対して取外し可能な形で連結されるように構成され得る。トラックハンドル１４０は、所望の距離のところでトラック１１２上に設置され得る。さらに、図示されているトラックハンドル１４０は、トラック１１２が、図示されている垂直配向ではなくむしろ地面に対してまたは他の水平表面に対して平行になるような形でウォールソー１００を位置づけできるホイールを含んでいる。
【００１１】
本明細書中で提示されているブレードガード１２０は、さまざまなサイズのブレードガード１２０を構築するために、標準化された構成要素の使用を可能にするように構成されている。さらに、本明細書中で少なくとも１つの実施形態において提示されているブレードガード１２０は、円形カッティングブレードの一部を露出させるように作業者により部分的に分解され得る。標準化された構成要素を使用することで、特定のサイズのブレードガードを過剰に生産することなく、さまざまなサイズのブレードガードを構築できるようになる。本明細書中で提示されているブレードガードの例は、単なる一例として提供されているにすぎず、本明細書中で記述されている通りに構築された他のブレードガードも本開示の範囲内に入る。
【００１２】
ブレードガードに付随する構成要素を示す目的で、以下の図は、ブレードガードのさまざまな図を提示しており、一部の場合においては、ブレードガードの組立てにおける一段階を表わしておらず、構成要素およびその相対的位置を示すために提示されている。
【００１３】
図２に示されているように、ブレードガード１２０は、上面カバー２２０、底板２３０および締結用ロッド２５０を含んでいる。図示されているように、締結用ロッドは、底板２３０を上面カバー２２０と連結させる。複数の締結用ロッドは、少なくとも１つのサイドカバー２４０（図４に図示）をしっかりと固定するように構成されている。
【００１４】
上面カバー２２０は、複数の上面カバーを含むことができる。図示された実施例には３つの上面カバー２２０が含まれているが、上面カバー２２０は、単一の上面カバー、２つの上面カバー、または多数の上面カバーであり得る。図示された実施例では、上面カバー２２０は、左側上面カバー２２２、中央上面カバー２２４および右側上面カバー２２６を含む。左側上面カバー２２２および右側上面カバー２２６は、中央上面カバー２２４と嵌合するように回転させただけの実質的に同一の上面カバーであり得る。図示されている通り、右側上面カバー２２６は、ブレードガード中心線１２２との関係において対称である。ブレードガード中心線１２２は、ブレードガード１２０の最長の側面の垂直中心線である。
【００１５】
左側上面カバー２２２および右側上面カバー２２６は、締結具２２５により中央上面カバー２２４に対し解除可能な形で連結され得る。締結具２２５は、作業者が追加の工具を必要とせずに手で締結具２２５を取外しできるように、把持可能な周囲を有する。これらの締結具２２５は、左側上面カバー２２２および右側上面カバー２２６を中央上面カバーから分離できるようにする。一部の状況では、左側上面カバーおよび右側上面カバーの取外しが所望される可能性がある。
【００１６】
少なくとも１つの底板２３０は、円形ソーブレード（図示せず）を収容するために内側に形成されたスロット２３１を伴って構成される。少なくとも１つの底板２３０は、円形ソーが切断している表面に最も接近するように構成されているブレードガード１２０の部分である。少なくとも１つの実施形態において、少なくとも１つの底板２３０は、円形ソーが切断している表面に接触するようには構成されていない。
【００１７】
図２に図示された実施例においては、２枚の底板２３０が含まれている。中心線１２２の左側に左側底板２３０が、そして中心線１２２の右側に右側底板２３０が存在する。右側底板２３０と左側底板２３０は、他方との関係において回転されただけの実質的に同一の底板であり得る。締結用ロッド２５０は、底板に対して解除可能な形で連結されるか、または底板に対し取外し不能な形で締結され得る。少なくとも１つの実施形態において、底板２３０は、リベットを用いて締結用ロッド２５０に固定される。底板２３０に対する締結用ロッド２５０の連結は、（以下で記述する）側板がひとたび上面カバー２２０と底板２３０の間に位置づけされた時点で行なわれ得る。
【００１８】
底板２３０、締結用ロッド１５０およびサイドカバーの部品２４４の断面図の一例が図３に示されている。図示されているように、２つの部品２４４は、各々一対の締結用ロッド２５０の間に位置づけされている。部品２４４がひとたび他の側面部品に沿って位置づけされた時点で、締結用ロッド２５０を上面カバー２２０および底板２３０の両方に連結することができる。図２および４に示されている一部の実施形態において、底板はブレードガード１２０の長さ全体に延びていない。底板が存在しない場合、以下で図１０に関連して記述されているものなどの他のコネクタを実施することができる。
【００１９】
サイドカバー２４０の全ての部品が底板２３０および上面カバー２２０と底板２３０と上面カバー２２０とを連結する締結用ロッドとの間にひとたび位置づけされた時点で、ブレードガード１２０は、図４に示されたブレードガードに似たものとなり得る。締結用ロッド２５０はさらに、上面カバー２２０と底板２３０との空間的関係においてサイドカバーの部品をしっかりと固定するように構成されている。
【００２０】
図示されているように、サイドカバー２４０は、４つの異なる輪郭要素部品を含む。４つの異なる輪郭要素部品は、端部要素部品２４２、狭幅要素部品２４４、裏側要素部品２４７および軸側要素部品２４６を含む。図示されているように、ブレードガード１２０は、４つの端部要素部品２４２、８つの狭幅要素部品２４４、１つの裏側要素部品２４７そして１つの軸側要素部品２４６を含む。裏側要素部品２４７と軸側要素部品２４６は、実質的に同じ幅を有する。
【００２１】
さらに、これらの部品は、図４の切断線に沿って切取られた図５の断面図で示されている。複数の部品は、少なくとも２つの実質的に対称な要素部品２４２を含み得る。図５を見ればわかるように、少なくとも２つの実質的に対称な要素部品２４２は、円形ソーブレード（図示せず）の中心線２６０との関係において対称である。端部要素部品２４２、狭幅要素部品２４４および軸側要素部品２４６の断面形状は、図示されている。さらに、裏側要素部品２４７が図５に示されている。軸側要素部品２４６と裏側要素部品２４７を除いて、部品は中心線２６０との関係において対称である。例えば、図の左右側には、中心線２６０を中心にして対称である２つの端部要素部品２４２が存在する。さらに、軸側要素部品２４６および裏側要素部品２４７の左側には、実質的に対称な部品２対を有する４つの狭幅要素部品２４４が存在する。軸側要素部品２４６および裏側要素部品２４７の右側には、４つの狭幅要素部品２４４が存在し、これらの部品は２対の実質的に対称な部品を有する。さらに、軸側要素部品２４６および裏側要素部品２４７の右側には、中心線２６０を中心として対称な２つの端部要素部品２４２が存在する。
【００２２】
軸側要素部品２４６および裏側要素部品２４７は、軸側要素部品が、円形ソーの軸および心棒を収容するために内部に形成された軸収容用スロットを有することから、中心線２６０との関係において完全に対称ではない。
【００２３】
同様に、図５の断面図に示されているのは、締結用ロッド２５０である。断面図に示されている締結用ロッド２５０は、円形断面を有する。他の実施形態では、締結用ロッド２５０の断面は、三角形、楕円形、多角形などの他の形状を有することができる。さらに、締結用ロッド２５０の断面は、締結用ロッド２５０の長さに沿って変化し得る。
【００２４】
端部要素部品２４２、裏側要素部品２４７および狭幅要素部品２４４の断面形状は、図６〜８にさらに示されている。端部要素部品２４２の断面形状は、図６に示されている。図６に示されているように、断面形状は、Ｃ字形の２つの端部２４１を示している。Ｃ字形端部２４１は、図５に示されている締結用ロッド２５０によりしっかりと固定されるように構成されている。
【００２５】
同様にして、裏側要素部品２４７の断面形状は図７に示されている。図７に示されているように、断面形状はＣ字形の２つの端部２４５を示している。Ｃ字形端部２４５は、図５に示されている締結用ロッド２５０によりしっかりと固定されるように構成されている。
【００２６】
同様にして、狭幅要素部品２４４の断面形状は図８に示されている。図８に示されているように、断面形状はＣ字形の２つの端部２４３を示している。Ｃ字形端部２４３は、図５に示されている締結用ロッド２５０によりしっかりと固定されるように構成されている。
【００２７】
図９は、例示的ブレードガード１２０の立面端面図である。図示されているように、上面カバー２２０が示されている。上面カバー締結具２２５も同様に示されている。図を見ればわかるように、上面カバー締結具２２５は、ブレードガード１２０の片側にあるノブを有する。他の実施形態において、上面カバー締結具２２５は、ブレードガード１２０の両側にノブを有し得る。さらに、少なくとも１つの実施形態において、図示されているように図中のブレードガードの右側にくるように、上面カバー締結具２２５のノブがあるブレードガードの側を逆転させることができ、こうしてブレードガード１２０の左側にノブを据えつけることができる。
【００２８】
上面カバー締結具２２５は、ブレードガード１２０の少なくとも一部分をブレードガード１２０の他の部分から取外すことができるようにしている。上述の通りの上面カバー締結具は、左側上面カバー２２２と合わせて中央上面カバー２２４を保持する。締結具が取外された場合、左側上面カバー２２２は、中央上面カバー２２４と右側上面カバー２２６とを含む上面カバーの残りの部分から分離可能である。
【００２９】
図１０に示されているように（図９のＥ−Ｅ断面）、底板２３０はサイドカバー構成要素２４０と共にかつこの構成要素に隣接して連結可能である。図示されているように、底板２３０は、下向きフック２３２を含む。下向きフックは、接続用ブロック２３３を用いて隣接するサイドカバーに連結可能である。接続用ブロック２３３は、底板２３０を隣接するサイドカバー構成要素に取外し可能な形で連結できるようにしている。底板２３０を隣接する底面構成要素から分離できるようにするため、接続用ブロック２３３を取外すことができる。ブレードガード１２０の一部分を連結する上面カバー締結具２２５と接続用ブロック２３３の両方が取外された場合、ブレードガード１２０のその部分を、ブレードガード１２０の残りの部分から取外すことができる。ブレードガードの一部分が取外された状態で、ソーは、天井などに隣接する壁の一部分などの一部の特徴をより容易に切断することができる。
【００３０】
例えば、ブレードガード１２０の残りの部分から分離されたブレードガード１２０の一部分が、図１１に示されている。図示されているように、ブレードガードのその部分は、上面カバー締結具２２５と接続するためのコネクタ２２８を有する。少なくとも１つの実施形態において、上面カバー締結具２２５およびコネクタ２２８は、互いに螺合するように螺切されている。別の実施形態において、上面カバー締結具２２５は、それが横断する上面カバー２２０の反対側と螺合するように構成されている。この構成では、コネクタ２２８は螺切されておらず、上面カバー締結具２２０が取外された時点で解除可能な形で係合するように構成されている。
【００３１】
図１２は、本開示に係る別の例示的ブレードガード１２０を示している。上述の通り、ブレードガード１２０は、さまざまなサイズのブレードを収容するように構成可能である。１つの具体的な、ただし非限定的な実施形態において、端部要素部品２４２の断面形状は、１０８ｍｍの幅を有することができ、狭幅要素部品の断面形状は６６．７ｍｍの幅を有することができ、裏側要素部品の断面形状は１６６．６６ｍｍの幅を有することができる。図１２のブレードガードは、２つの端部要素部品２４２、３つの裏側要素部品２４７および各々の側に２つの狭幅要素部品を有する。こうして、図１２に示されているブレードガード１２０は８４９．３８ｍｍの幅を有する。図４のブレードガードは、２つの端部要素部品２４２、１つの裏側要素部品２４７および各々の側に４つの狭幅要素部品を有する。図４に示されている構成において、ブレードガードは６４９．４６ｍｍの幅を有する。これら２つの異なるブレードガード構成により示されているように、異なる幅を有するブレードガードを生産するために同じ断面形状を実施することが可能である。
【００３２】
少なくとも１つの実施形態において、図４および図１２のブレードガードの上面カバー２２０は互いに異なるものである。図示された実施形態において、各実施形態中の上面カバー２２０は、３つの異なるカバーを含んでいる。したがって、３つの異なるカバーは図４および１２において異なるサイズを有する。他の実施形態においては、上面カバーを上述の側面断面形状のものに類似する均一サイズの構成要素で構成することができる。
【００３３】
底板３３０は、図４および１２に示されているものなどの異なるブレードガード構成について異なるサイズで構成され得る。他の実施形態において、底板３３０のサイズを均一にすることができる。
【００３４】
さらに、ブレードガード１２０は同様に、フラッシュカットに対応するように構成され得る。フラッシュカットを行う状況では、円形ソーブレードの片面はもう一方の表面と面一になる。例えば本明細書中で記述されているウォールソーが、壁内に出入口を切断するために使用される場合、３か所（両側と上部）の切断は、所定の場所に本明細書で記述されたブレードガード１２０がある状態で、実施可能である。下部切断を行う場合、ソーブレードの側面上のブレードガードの部分も同様に取外すことができる。少なくとも１つの実施形態において、取外されるブレードガードの部分は、ブレードガード１２０のおよそ半分または半分弱であり得る。取外されたブレードガードの部分は、隣接する表面に最も近いブレードの一部分を露出させる。隣接する表面は、実際ブレードガードとして役立つ。
【００３５】
ブレードガードおよび構成要素の具体的幅を伴うブレード構成の以上の実施例は、単なる例示にすぎず、本開示はこれに限定されるわけではない。他の実施形態においては、構成要素の幅を変化させて多様な異なるブレードガードサイズを作製することができる。本明細書中で記述されている通り、ブレードガードは、多様な異なるサイズのブレードガードの製造中に構成要素間の互換性を提供するため、限定数の異なる側面断面形状で構成されるように構築可能である。
【図１】
2013536763.tif 000003
【図２】
2013536763.tif 000004
【図３】
2013536763.tif 000005
【図４】
2013536763.tif 000006
【図５】
2013536763.tif 000007
【図６】
2013536763.tif 000008
【図７】
2013536763.tif 000009
【図８】
2013536763.tif 000010
【図９】
2013536763.tif 000011
【図１０】
2013536763.tif 000012
【図１１】
2013536763.tif 000013
【図１２】
2013536763.tif 000014
【国際調査報告】
2013536763.tif 000015
2013536763.tif 000016
2013536763.tif 000017
2013536763.tif 000018